(57)【特許請求の範囲】
【請求項１】
ボタン電池（１０）の収納穴（２）と、該ボタン電池の上面の一部を係止する第１、第２の係止片（２ｂ、２ｃ）と、該ボタン電池を該係止片側へ付勢押圧する底面弾性切片（３）と、該ボタン電池を前記収納穴の側方へ付勢押圧する側面弾性切片（５）とを備えたボタン電池の収納構造であって、
前記側面弾性切片（５）と対向するように設けられた外方に向うにつれて前記収納穴の径が狭まるように傾斜している係止傾斜面（２ｅ）と、
前記収納穴底面の中心から前記係止片（２ｂ、２ｃ）の側に偏倚した底面に位置する回動支点（４）とを具備し、
前記ボタン電池は、前記底面弾性切片と前記側面弾性切片の付勢押圧する力を受けて、前記第１、第２の係止片（２ｂ、２ｃ）と前記係止傾斜面（２ｅ）とに押圧されることにより、収納穴（２）に収納保持され、前記回動支点（４）より前記係止片（２ｂ、２ｃ）よりの天面部分を押圧されることにより、前記回動支点（４）を支点とした回動が起き、前記係止傾斜面（２ｅ）とボタン電池周縁の係止めが解除されて該ボタン電池が取り外されることを特徴とするボタン電池の収納構造。
【請求項２】
請求項１に記載のボタン電池の収納構造において、
前記回動支点（４）が、突起または段差であることを特徴とするボタン電池の収納構造。
【請求項３】
請求項１または２に記載のボタン電池の収納構造において、
前記係止傾斜面（２ｅ）の両側に第１、第２の抑止側壁（２ｆ、２ｇ）を具備し、
前記ボタン電池が正電極面、負電極面の表裏を逆にして挿入された場合に、ボタン電池の正電極面周縁に面取り（Ｒ）がないことにより、該ボタン電池が収納穴（２）の底面（２ａ）と前記第１、第２の係止片（２ｂ、２ｃ）と前記第１、第２の抑止側壁（２ｆ、２ｇ）とに係止されて、前記収納穴への収納が阻止されることを特徴とするボタン電池の収納構造。
【発明の詳細な説明】
【技術分野】
【０００１】
本発明はボタン電池の収納構造に関し、特に電子機器等のボタン電池収納部から容易に取り外しができるボタン電池の収納構造に関する。 
【背景技術】
【０００２】
従来のボタン電池の収納構造の一例として、例えば下記の特許文献１に記載されたものがある。この特許文献１には、図１０に示すように、断面図で、両側のそれぞれに、第１の係止片３１と第２の係止片３２を有し、底面に板ばね片３３を有するボタン電池の収納構造が示され、ボタン電池３５は、第１、第２の係止片３１、３２の間に形成されている円形の電池収納穴に収納される。ボタン電池３５を該電池収納穴に収納する場合には、まずボタン電池３５を第２の係止片３２に向けて傾斜させ、かつボタン電池全体を板ばね片３３の弾発力に抗して上から下方に力Ｐ１で押し込むことで、その先端が側面弾性切片３４に抗して第２の係止片３２の下方に力Ｐ２で挿入され、その結果として、その後端が第１の係止片３１に係止されて収納される。
【０００３】
次に、ボタン電池３５を電池収納穴から取り外す時には、図１１に示されているように、指の腹で、押し下げる力Ｐ１と第２の係止片３２方向にスライドする力Ｐ３（ただし、Ｐ３＞Ｐ２）の２方向の力を同時にボタン電池の上側の面に加えて、該ボタン電池の先端を側面弾性切片３４に抗して第２の係止片３２の奥方向に深く押し込み、次いで押し下げる力Ｐ１を弱めることにより、該ボタン電池の後端が第１の係止片３１からの係合を脱し、ボタン電池は電池収納穴から取り出される。
【先行技術文献】
【特許文献】
【０００４】
【特許文献１】特開平１１−１８５７２１号公報
【発明の概要】
【発明が解決しようとする課題】
【０００５】
前記特許文献１に記載されたボタン電池の収納構造は、ボタン電池収納後にはこれを確実に保持するという利点があると考えられるが、ボタン電池を取り外す場合には、前記したように、押し下げる力Ｐ１と第２の係止片３２方向にスライドする力Ｐ３の２方向の力を同時にボタン電池の上側の面に加えなければならず、該上側の面で指の腹が滑ったりして取り外しが容易でないという課題があった。また、ボタン電池の正、負の逆挿入が可能なため、逆挿入をした場合には、回路基板や電池収納部が破壊する恐れがあるという課題があった。
【０００６】
本発明の目的は、前記した課題を解決し、ボタン電池の挿し抜きが容易で、正電極面、負電極面の表裏の逆挿入を防止できるボタン電池の収納構造を提供することにある。
【課題を解決するための手段】
【０００７】
前記目的を達成するために、本発明は、ボタン電池（１０）の収納穴（２）と、該ボタン電池の上面の一部を係止する第１、第２の係止片（２ｂ、２ｃ）と、該ボタン電池を該係止片側へ付勢押圧する底面弾性切片（３）と、該ボタン電池を前記収納穴の側方へ付勢押圧する側面弾性切片（５）とを備えたボタン電池の収納構造であって、前記側面弾性切片（５）と対向するように設けられた外方に向うにつれて前記収納穴の径が狭まるように傾斜している係止傾斜面（２ｅ）と、前記収納穴底面の中心から前記係止片（２ｂ、２ｃ）の側に偏倚した底面に位置する回動支点（４）とを具備し、前記ボタン電池は、前記底面弾性切片と前記側面弾性切片の付勢押圧する力を受けて、前記第１、第２の係止片（２ｂ、２ｃ）と前記係止傾斜面（２ｅ）とに押圧されることにより、収納穴（２）に収納保持され、前記回動支点（４）より前記係止片（２ｂ、２ｃ）よりの天面部分を押圧されることにより、前記回動支点（４）を支点とした回動が起き、前記係止傾斜面（２ｅ）とボタン電池周縁の係止めが解除されて該ボタン電池が取り外されるようにした点に第１の特徴がある。
【０００８】
また、本発明は、前記係止傾斜面（２ｅ）の両側に第１、第２の抑止側壁（２ｆ、２ｇ）を具備し、前記ボタン電池が正電極面、負電極面の表裏を逆にして挿入された場合に、ボタン電池の正電極面周縁に面取り（Ｒ）がないことにより、該ボタン電池が収納穴（２）の底面（２ａ）と前記第１、第２の係止片（２ｂ、２ｃ）と前記第１、第２の抑止側壁（２ｆ、２ｇ）とに係止されて、前記収納穴への収納が阻止されるようにした点に第２の特徴がある。
【発明の効果】
【０００９】
本発明によれば、収納穴に収納されているボタン電池の天面部分の一点を押圧するだけでボタン電池を収納穴から取り外すことができるので、従来装置のように、ボタン電池の上面を押し下げる力と該上面に平行な力の２方向の力を同時にボタン電池に印加する必要がなくなり、簡単に取り外すことができるようになる。
【００１０】
また、誤って正電極面、負電極面の表裏を逆にして挿入がなされた場合には、ボタン電池は収納穴に入るのを阻止されるので、逆挿入を防止できるようになる。
【図面の簡単な説明】
【００１１】
【図１】本発明の概要を示す斜視図である。
【図２】本発明のボタン電池の収納構造の一実施形態の平面図である。
【図３】ボタン電池を収納穴に挿入する時のボタン電池と収納穴との関係を示す断面図である。
【図４】ボタン電池と収納穴の大きさとの関係を説明するための平面図である。
【図５】ボタン電池が収納穴に装着されている状態における図４のＢ−Ｃ線断面図である。
【図６】ボタン電池が収納穴に装着されている状態における図４のＡ−Ｃ線断面図である。
【図７】ボタン電池を収納穴から取り外す時のボタン電池と収納穴との関係を示す、図４のＡ−Ｃ線断面図である。
【図８】ボタン電池を正電極面、負電極面を逆にして収納穴に挿入した時の、図４のＢ−Ｃ線断面図である。
【図９】収納穴の底面に形成された回動支点の他の例を示す断面図である。
【図１０】ボタン電池を収納穴に挿入する時の従来装置のボタン電池と収納穴との関係を示す断面図である。
【図１１】ボタン電池を収納穴から取り外す時の従来装置のボタン電池と収納穴との関係を示す断面図である。
【発明を実施するための形態】
【００１２】
以下に、図面を参照して、本発明の好ましい実施形態を説明する。図１は、本発明の一実施形態のボタン電池の収納構造の斜視図を示し、電子機器のケース１の所定箇所にボタン電池の収納穴２が形成され、その底面２ａには，底面弾性切片３および回動支点４、例えば突起が形成されている。また、前記収納穴２の周縁には、第１、第２の係止片２ｂ、２ｃ、凹部係止片２ｄ、係止傾斜面２ｅ、第１、第２の抑止側壁２ｆ、２ｇが形成され、凹部係止片２ｄ側の側面には、側面弾性切片５が配置されている。また、２ｈは収納穴２内の押下空間である。この押下空間２ｈの技術的意義は、図６、図７を参照して後述する。なお、図１の電子機器は、無線のキー端末を示すが、本発明はこれに限定されず、カメラ、自動車のキーなどであって、外径が厚みに対して大きい扁平形状のボタン電池を使用する物であれば、何でもよい。
【００１３】
図２は、図１のボタン電池収納部のみの平面図（ボタン電池収納穴を上から見た図）を示し、図１と対応する符号は同一物を示す。
【００１４】
図３は、ボタン電池１０を収納穴２に収納する仕方を説明する図であり、図４は該収納時の平面図である。また、図５は、ボタン電池１０が収納された状態を示す図である。ここに、図３、図５は、図４におけるＢ−Ｃ断面図を示し、図３、図４、図５中の図１、図２と対応する符号は同一物を示す。
【００１５】
収納穴２の周縁を形成する前記第１、第２の抑止側壁２ｆ、２ｇ、係止傾斜面２ｅなどの収納穴中心点からの距離および周方向の寸法は、ボタン電池１０をその先端が第１、第２の係止片２ｂ、２ｃ、および凹部係止片２ｄの下方空間に入るように傾斜して収納穴２に挿入した時に、図４に示すように、ボタン電池１０の周縁が、第１、第２の抑止側壁２ｆ、２ｇの上辺部２ｆ'、２ｇ'上に掛かり、係止傾斜面２ｅの上辺部２ｅ'から少し外方にはみ出る程度の大きさになされている。
【００１６】
ボタン電池１０を収納穴２に収納する場合には、図３に示されているように、ボタン電池１０の上面（または、天面）が正電極面１０ａになるようにし、かつその先端が第１、第２の係止片２ｂ、２ｃの下部空間に入るように傾けて挿入する。そうすると、ボタン電池１０の後方の周縁は、第１、第２の抑止側壁２ｆ、２ｇの上辺部２ｆ'、２ｇ'に当接する。そこで、該ボタン電池１０の後端が力Ｐ１で押圧されると、ボタン電池１０が側面弾性切片５の弾力に抗して２点鎖線で示されているように前進し、ボタン電池１０の負電極面１０ｂの周縁の面取り形状１０ｃ（以下、Ｒ（アール）という）により第１、第２の抑止側壁２ｆ、２ｇの上辺部２ｆ'、２ｇ'、および係止傾斜面２ｅの上辺部２ｅ'の内側に滑り込んで、ボタン電池１０の後端は滑らかに係止傾斜面２ｅの内面へと移動する。この結果、ボタン電池１０は、図５に示されているように、収納穴２内にすっぽりと収まる。
【００１７】
このとき、底面弾性切片３は、図５に示されているように、ボタン電池１０の下面である負電極面１０ｂの中央部を力Ｆ１で上方へ持ち上げるので、ボタン電池１０の上面である正電極面１０ａの周辺部は第１、第２の係止片２ｂ、２ｃと係止傾斜面２ｅの傾斜面とに係合して、ボタン電池１０は収納穴２内に安定的に保持される。なお、このとき、ボタン電池１０は、第１、第２の係止片２ｂ、２ｃから下方に向かう力Ｆ２、側面弾性切片５から半径方向に向かう力Ｆ３、および係止傾斜面２ｅから該傾斜面に垂直な方向の力Ｆ４を受ける。前記係止傾斜面２ｅの内面は、図示から明らかなように、外方に向かうにつれて、収納穴２の径が狭まるように傾斜している。
【００１８】
以上のように、本実施形態によれば、ボタン電池を傾けて収納穴２に入れ、その後端を押圧するだけでボタン電池を収納穴内に収納できるので、従来装置よりも簡単に収納することができるようになる。
【００１９】
次に、ボタン電池１０を収納穴２から取り外す場合について、図６，図７を参照して説明する。図６，図７は、図４をＡ−Ｃ線に沿って切った場合の断面図であり、図６、図７中の図１、図４と対応する符号は同一物を示す。なお、図６はボタン電池１０が収納穴２内に収納されている状態を示し、図５とは切断線が違うだけで実質的に同じであるので、図６についての説明は省略する。
【００２０】
さて、ボタン電池１０を収納穴２から取り外す場合には、図６に示されているボタン電池１０の先端（回動支点４より凹部係止片２ｄ寄り）、つまり押下空間２ｈ内に位置する先端を、力Ｐ１で押下する。そうすると、図７に示すように、ボタン電池１０は回動支点４を支点として時計方向に回動し、かつ底面弾性切片３の反発力に支援されて、その後端は係止傾斜面２ｅを滑って係止傾斜面２ｅから外側へ飛び出すように脱出する。このようにして、ボタン電池１０の後端が収納穴２から一旦脱出すれば、その後は、ボタン電池１０の後端を指で摘んで完全に収納穴２から容易に取り出すことができる。
【００２１】
このように、本実施形態によれば、ボタン電池１０の押下空間２ｈに位置する先端を小さな力Ｐ１で押下するだけでボタン電池１０を取り外すことができるので、従来装置のように、ボタン電池の上面を押し下げる力と該上面に平行な力の２方向の力を同時にボタン電池に印加する必要がなくなり、ボタン電池を簡単に収納穴から取り出すことができるようになる。
【００２２】
次に、本発明によれば、正電極面、負電極面の表裏の逆挿入を防止できる理由を、図８を参照して説明する。図８は図４のＡ−Ｃ線断面図であり、図８中の図１、図４と対応する符号は同一物を示す。
【００２３】
図８は、ボタン電池の正電極面１０ａと負電極面１０ｂの表裏を逆にして挿入した場合の図であり、逆挿入すると、正電極面１０ａと収納穴２の底面２ａとが点Ｋ１で接触し、負電極面１０ｂの先端が第１、第２の係止片２ｂ、２ｃの下側辺、つまり点Ｋ２に当接し、かつ正電極面１０ａの後端側の面が第１、第２の抑止側壁２ｆ、２ｇの上側辺、つまり点Ｋ３に当接して挿入が抑止され、ボタン電池１０は図８に示す位置から動かなくなる。この結果、ユーザはボタン電池の正電極面と負電極面との表裏を誤って逆にして挿入しようとしたことが分かることになる。
【００２４】
一方、ボタン電池１０の正電極面と負電極面を正しくして挿入した場合には、図３で既に説明したように、ボタン電池１０の負電極面１０ｂの周縁にＲ（アール）１０ｃが設けられているので、ボタン電池１０の後端が力Ｐ１で押圧されると、Ｒ（アール）１０ｃが第１、第２の抑止側壁２ｆ、２ｇの上辺部２ｆ'、２ｇ'に接触する位置まで下がってボタン電池１０の傾斜が緩やかになり、負電極面１０ｂの先端のＲ（アール）１０ｃは、収納穴２の底面２ａと接触することなく、２点鎖線で示されているように、第１、第２の係止片２ｂ、２ｃの下方の空間へと滑り込む。この結果、ボタン電池１０の後端は第１、第２の抑止側壁２ｆ、２ｇの上辺部２ｆ'、２ｇ'で抑止されることがなくなり、収納穴２中へと入り込む。
【００２５】
以上のように、本実施形態によれば、ボタン電池の正電極面、負電極面の逆挿入を防止できるようになる。
【００２６】
なお、前記回動支点４として突起に代えて、図９に示されているように、段部１１を設けてもよい。また、他の構成であってもよい。要は、ボタン電池１０を収納穴２から取り外す時にボタン電池の押下空間２ｈ部位を押圧した時に、ボタン電池が支点または支軸を中心に回動するものであれば何でもよい。
【符号の説明】
【００２７】
1・・・電子機器、２・・・ボタン電池収納穴、２ａ・・・底面、２ｂ、２ｃ・・・第１、第２の係止片、２ｅ・・・係止傾斜面、２ｆ、２ｇ・・・第１、第２の抑止側壁、２ｈ・・・押下空間、３・・・底面弾性切片、４・・・回動支点、５・・・側面弾性切片、１０・・・ボタン電池。  
【図１】
0005494981.tif 000002
【図２】
0005494981.tif 000003
【図３】
0005494981.tif 000004
【図４】
0005494981.tif 000005
【図５】
0005494981.tif 000006
【図６】
0005494981.tif 000007
【図７】
0005494981.tif 000008
【図８】
0005494981.tif 000009
【図９】
0005494981.tif 000010
【図１０】
0005494981.tif 000011
【図１１】
0005494981.tif 000012